(57)【要約】      （修正有）【課題】凹状溝が形成されている側面同士を対向させて隣接するフローリングを根太材上に固定し、作業効率の向上と見栄えを良くする効果を奏する。【解決手段】ほぼ平行に離間して配置された根太材８に敷設されるフローリング９の何れかの側面に凹状溝６cが形成されており、係る凹状溝６cが形成されている側面同士を対向させて隣接するフローリング９を根太材８上において結合乃至固定するための固定具１であって、前記隣接するフローリング９の側面に形成された凹状溝６cにそれぞれ嵌合する横状突起２a，２bと、前記横状突起２a，２bの中央部から下方に伸びる脚部と、脚部の上方に向けて突出する頭部と、前記結合具の長手方向の中央部における上方から脚部に向かって斜め方向に貫通する釘孔とを備える。【選択図】図３
2006312828.tif 000002
【特許請求の範囲】
【請求項１】
ほぼ平行に離間して配置された根太材に敷設されるフローリングの何れかの側面に凹状溝が形成されており、係る凹状溝が形成されている側面同士を対向させて隣接するフローリングを根太材上において結合乃至固定するための固定具であって、前記隣接するフローリングの側面に形成された凹状溝にそれぞれ嵌合する横状突起と、前記横状突起の中央部から下方に伸びる脚部と、脚部の上方に向けて突出する頭部と、前記結合具の長手方向の中央部における上方から脚部に向かって斜め方向に貫通する釘孔とを備えたことを特徴とするフローリングの固定具。
【請求項２】
ほぼ平行に離間して配置された根太材に敷設されるフローリングの何れかの側面に凹状溝が形成されており、係る凹状溝が形成されている側面同士を対向させて隣接するフローリングを根太材上において結合乃至固定するための固定具であって、前記隣接するフローリングの側面に形成された凹状溝にそれぞれ嵌合する横状突起と、前記横状突起の中央部から下方に伸びる脚部と、前記結合具の長手方向の中央部における上方から脚部に向かって斜め方向に貫通する釘孔とを備えたことを特徴とするフローリングの固定具。
【請求項３】
前記フローリングの固定具において、長手方向の前後何れか一方を先細形状に形成することを特徴とする請求項１又は２記載のフローリングの固定具。
【発明の詳細な説明】
【技術分野】
【０００１】
本発明は、フローリングの固定具、より詳細には、凹状溝が形成されている側面同士を対向させて隣接するフローリングを根太材上に固定するための固定具に関する。
【背景技術】
【０００２】
従来、フローリングは、一般に幅方向における一端部側面に凹状溝が形成されており、他端部側面に突起が形成されている。そして前記突起を凹状溝に嵌合させてフローリング同士を結合させている。通常の新築建物における内装工事などでフローリングを敷設する場合においては、部屋の壁面側から順次工事を進めるので、フローリング同士の結合に問題は生じない。しかし、既存の建物における床材の改修工事などにおいては、建物内の部屋や廊下などの定められた既存の間取りに応じて工事を進める関係上、端部側面に凹状溝が形成された側面同士を対向させてフローリングを結合させるケースに屡々直面する。このような場合に、従来はフローリングの上から直接釘を打ち付けたり木ねじでフローリングを根太材に固定していた。しかし、フローリングの表面に釘や木ねじの頭部が見えることから見栄えが悪く問題であった。
【０００３】
一方、特許文献１には根太材の中間に位置する十字状の床材ジョイント具が開示されている。しかし、係る床材ジョイント具は、フローリングのジョイントとは異なりジョイント部に隙間を有し、根太材の中間位置で床材を結合させる機能はあるものの、根太材に床材を固定する機能はなく、根太材への固定には別に専用の固定金具を用いる点において本発明の固定具とは異なる。また、特許文献２には狭持片の尖端部を床材の溝に突き刺して脚部４個所を根太材に固定する床材結合金具が開示されているが、尖端部を床材の溝に突き刺し脚部４個所を根太材に固定するのに手間と時間を要する点で問題があった。
【特許文献１】特開２０００−１４５１０１号公報
【特許文献２】特開昭６１−１５７６３９号公報
【発明の開示】
【発明が解決しようとする課題】
【０００４】
本発明者は、前記の問題点を解消し、鋭意研究して本発明に至ったものであり、本発明の課題は、固定具を根太材に固定するとともに前記固定具を介して隣接するフローリングを結合することによって、釘や木ねじ等でフローリングを直接固定することにより発生する外観上の問題点を解消するフローリングの固定具を提供することにある。
【課題を解決するための手段】
【０００５】
前記の課題を解決するために、本発明は、ほぼ平行に離間して配置された根太材に敷設されるフローリングの何れかの側面に凹状溝が形成されており、係る凹状溝が形成されている側面同士を対向させて隣接するフローリングを根太材上において結合乃至固定するための固定具であって、前記隣接するフローリングの側面に形成された凹状溝にそれぞれ嵌合する横状突起と、前記横状突起の中央部から下方に伸びる脚部と、脚部の上方に向けて突出する頭部と、前記結合具の長手方向の中央部における上方から脚部に向かって斜め方向に貫通する釘孔とを備えたことを特徴とするフローリングの固定具とする（請求項１）。
【０００６】
また、前記の課題を解決するために、本発明は、ほぼ平行に離間して配置された根太材に敷設されるフローリングの何れかの側面に凹状溝が形成されており、係る凹状溝が形成されている側面同士を対向させて隣接するフローリングを根太材上において結合乃至固定するための固定具であって、前記隣接するフローリングの側面に形成された凹状溝にそれぞれ嵌合する横状突起と、前記横状突起の中央部から下方に伸びる脚部と、前記結合具の長手方向の中央部における上方から脚部に向かって斜め方向に貫通する釘孔とを備えたことを特徴とするフローリングの固定具とする（請求項２）。
【０００７】
また、前記の課題を解決するために、本発明は、前記フローリングの固定具において、長手方向の前後何れか一方を先細形状に形成することを特徴とする前記のフローリングの固定具とすることが好ましい（請求項３）。
【発明の効果】
【０００８】
本発明のフローリングの固定具は前記のように構成されるので、１本の釘などの棒状固定具を打ち込むだけで固定具を根太材へ固定でき、しかも固定具をフローリングの溝に沿って自在に嵌合させることができるので、作業効率が向上する。また、フローリング側面の突き合わせ部が隙間なく接合できる上、釘や木ねじでフローリングを直接固定する場合のように釘や木ねじ等の頭部が見えないので仕上がりが良く見栄えがする。更に、改装工事の現場事情やフローリングの色柄に応じて、凹状溝側面同士或いは凹状溝側面と突起状側面の何れかを選択してフローリングを結合・固定できる利点がある。
【発明を実施するための最良の形態】
【０００９】
次に、本発明を実施するための最良の形態（以下「本発明の実施の形態」と称する）について図面を参照しながら説明する。しかし、本願発明は係る実施の形態によって何ら制限されるものではない。また、各図面において、同一の部位乃至部品については共通の符号を用いて表した。
【００１０】
図１は、請求項１及び３記載の発明を含む第１実施の形態に係る固定具１を示すもので、（ａ）は正面図、（ｂ）は背面図、（ｃ）は側面図、（ｄ）は平面図である。固定具１は、前記隣接する前フローリング９ａ及び後フローリング９ｂの側面に形成された凹状溝６にそれぞれ嵌合する横状突起２と、前記横状突起２の中央部から下方に伸びる脚部３と、脚部の上方に向けて突出する頭部４と、前記結合具１を根太材に固定させるための棒状固定具である釘７を貫通させる釘孔５とを備えている。本発明のフローリングの固定具の材料や製造方法は特に限定されるものではないが、例えばアルミニウムや鋳鉄その他の金属を鋳造して形成するのが好ましい。また、ポリオキシメチレン等ポリエーテル、ポリアミド、ポリカーボネート、ポリエステル、ポリマーアロイ及びその他エンジニアリングプラスチック等を射出成形、圧縮成形、トランスファー成形等で形成したものが好ましい。
【００１１】
本発明の第１実施の形態に係る固定具１は全体的にほぼ舟形状をなし、左右に伸びる横状突起２は、フローリング９の側面に形成された凹状溝６に嵌合する厚みと奥行きにて設計されている。舟形状に限定するものではないが、釘孔５を手前に向けて配置できるように、固定具１の前後が直ぐに識別できる形状に構成することが好ましい。図３（ｂ）に示すように、通常フローリングの側面に設けられる凹状溝６は、上顎部６ａ、下顎部６ｄ及び上顎部と下顎部の溝部６ｃから構成され、上顎部６ａは下顎部６ｄよりも前方に迫り出し、凹状溝側の角部が面取り６ｂされている。係る凹状溝が形成された側面を突き合わせたときにできる空隙にほぼ収まるように、空隙とほぼ同じ大きさに構成されている。横状突起２は、凹状溝６に挿入し易くするために先端部を面取りして丸みをつけている。頭部４は、横状突起２の中央部に断面がほぼ二等辺三角形状に形成されている。脚部３は、根太材８に垂直に配置されるように底面が平面状で且つ側面が底面に対して垂直状に設けられている。
【００１２】
前記釘孔５は、固定具１の長手方向のほぼ中央部における頭部４を構成する何れかの斜面から、対向する脚部３の底面に向けて斜め方向に穿設されている。このように釘孔５を斜め方向に設けることによって、棒状固定具である例えば釘７を釘孔５に通して根太材８に打ち込むときに、固定具１は前フローリング９ａの方向（釘を打ち込む水平方向）に僅かに移動して前フローリング９ａを押しつけるので、フローリングは接合面に間隙を残すことなくピッタリと固定されるとともに、釘７を根太材８に対して垂直方向に打ち込んだときよりも、フローリングの上下方向の揺動に対して抜けにくくなる。より抜けにくくするために、周囲に浅いスパイラル状の溝が形成された市販の釘７を使用することが好ましい。また、１本の釘７で止めた方が手間がかからないばかりでなく、フローリング９の側面の凹状溝６に沿って平行に固定しやすく、釘７を打ち込んだ後でも固定具１の側面乃至フローリングの側面を軽く叩いて曲がりを簡単に修正することができる利点がある。
【００１３】
次に、図２は、請求項２及び３記載の本発明を含む第２実施の形態に係る固定具１を示すもので、第１実施の形態に係る固定具１において、頭部４を設けずに横状突起２の上面を平面状に形成した以外は第１実施の形態に係る固定具１と同様である。このように頭部４を設けなかったのは、フローリングの種類によって、凹状溝６を構成する上顎部６ａの内面角部を面取りしていないフローリングに対応する必要からである。その他の点は第１実施の形態に係る固定具１と同様であるので説明は省略する。
【実施例】
【００１４】
鋳型に溶融アルミニウムを流し込んで前記第１実施の形態に係る固定具１を複数個製造した。図４に示すように、根太材８として４５ｍｍ角の垂木６本をほぼ等間隔に離間して設けておき、市販のフローリング（長さ１８２０ｍｍ×巾３０３ｍｍ×厚さ１２ｍｍ）を使用して、先に敷設する方の前フローリング９ａを前記根太材８にほぼ直交して固定した。次に、前記釘孔５に棒状固定具である釘７を打ち込む水平方向の向きが、前記の前フローリング９ａの凹状溝６が形成された側面に向くように固定具１を各根太材８上に配置する。即ち、固定具１をその先細部が左方向に向くように配置すると釘孔５の頭部が手前に向くこととなる。前フローリング９ａの凹状溝６に固定具１の一方の横状突起２ａを押し込んで嵌合させ、釘孔５に釘７を打ち込んで固定具１をそれぞれ根太材８に固定した。次に、別の後フローリング９ｂの側面の凹状溝６をもう一方の横状突起２ｂに押し込んでそれぞれ結合した。図３（ａ）に結合した状態を示す。前記の前フローリング９ａ及び後フローリング９ｂの他の側面には突起１０が表れるので、該突起１０を次のフローリングの凹状溝６に嵌合させ、以後通常の方法で順次フローリングを結合させることができる。
【産業上の利用可能性】
【００１５】
今後、老朽化する建物が増大するのにともなって、ますます床の改修工事が増大し、簡単にフローリングを結合できる本発明に係るフローリングの固定具の需要が見込まれ、且つ、簡単に製造できるので便利であり、しかも経済的で極めて有用である。
【図面の簡単な説明】
【００１６】
【図１】本発明の第１実施の形態に係るフローリングの固定具を示す説明図である。
【図２】本発明の第２実施の形態に係るフローリングの固定具を示す説明図である。
【図３】本発明の実施例に係るフローリングの固定具の使用状態を示す断面図である。
【図４】本発明の実施例に係るフローリングの固定具の使用状態を示す斜視図である。
【符号の説明】
【００１７】
１：固定具、２：横状突起，２ａ：左横状突起，２ｂ：右横状突起、３：脚部、４：頭部、５：釘孔、６：凹状溝、６ａ：上顎部、６ｂ：面取り、６ｃ：溝部、６ｄ：下顎部、７：釘、８：根太材、９：フローリング、９ａ：前フローリング、９ｂ：後フローリング、１０：突起
【図１】
2006312828.tif 000003
【図２】
2006312828.tif 000004
【図３】
2006312828.tif 000005
【図４】
2006312828.tif 000006